(57)【要約】      （修正有）【課題】配線簡略化及び省スペース化を実現することができるロッドアンテナ取付具等を提供する。【解決手段】ロッドアンテナ取付具３０は、上底部３１ａと上底部の一片側から垂下する爪部３１ｂとからなる一対のＬ型片３１と、上底部の他片側から一対のＬ型片の爪部３１ｂと略平行に対向して垂下した垂下面取付孔が形成された垂下面３２と、垂下面３２から続く一対のＬ型片３１の爪部３１ｂ下端部より低い位置から上底部３１ａに向かって傾斜した傾斜面取付孔３３ａが形成された傾斜面３３と、傾斜面取付孔３３ａから上底部３１ａに向かって抜脱不能に挿通される抜脱防止螺子３４であって、パラボラアンテナＡの周縁端部Ｂに係合し、パラボラアンテナＡの周縁端部Ｂを上底部３１ａとの間で挟持する抜脱防止螺子３４とを備える。【選択図】図１
2012065215.tif 000002
【特許請求の範囲】
【請求項１】
上底部と当該上底部一片側から垂下する爪部とからなる一対のＬ型片と、
当該上底部他片側から前記一対のＬ型片の爪部と略平行に対向して垂下した垂下面取付孔が形成された垂下面と、
当該垂下面から続く当該一対のＬ型片の爪部下端部より低い位置から当該上底部に向かって傾斜した傾斜面取付孔が形成された傾斜面と、
前記傾斜面取付孔から当該上底部に向かって抜脱不能に挿通される抜脱防止螺子であって、被取付けアンテナの周縁端部に係合する抜脱防止螺子及び／又は当該被取付けアンテナの周縁端部を前記上底部との間で挟持する抜脱防止螺子と、を備えたことを特徴とするロッドアンテナ取付具。
【請求項２】
前記被取付けアンテナはパラボラアンテナであり、
前記一対のＬ型片は互いに対向方向へ傾斜していることを特徴とする請求項１に記載のロッドアンテナ取付具。
【請求項３】
請求項１又は２に記載のロッドアンテナ取付具と、
当該ロッドアンテナに接続される第一端子と、前記被取付けアンテナに接続される第二端子と、前記第一端子及び前記第二端子を介して受信した電波を混合する混合部と、前記混合部に接続され混合された電波を出力する出力端子と、少なくとも当該混合部を収容する筐体に形成されるフランジ部取付孔を備えたフランジ部とを備えた電波混合手段と、を備えたことを特徴とし、
前記垂下面取付孔及び前記フランジ部取付孔を介して前記電波混合手段が当該ロッドアンテナ取付具に取り付けられている混合器付きロッドアンテナ取付具。
【請求項４】
請求項３に記載の混合器付きロッドアンテナ取付具にロッドアンテナが取り付けられたロッドアンテナ装置。
【発明の詳細な説明】
【技術分野】
【０００１】
本発明は、ロッドアンテナ取付具及び混合器付きロッドアンテナ取付具並びにロッドアンテナ装置に関し、更に詳しくは、地上デジタル放送（ＵＨＦ帯）の受信用アンテナを衛星放送（ＳＨＦ帯）の受信用パラボラアンテナに取り付けることにより、地上デジタル放送用のアンテナ設置を効率的に実施するとともにその省スペース化を図る技術に関する。
【背景技術】
【０００２】
アナログテレビは、アナログ電波を映像や音に変換してＴＶに映すものであり、ＴＶ放送開始以来、各家庭・各事業所に普及している。このアナログ波放送を受信してＴＶ視聴するには、ＶＨＦアンテナ（又はＵＨＦアンテナ）とアナログ受信機（アナログチューナーとアナログテレビ）が必要である。ＶＨＦアンテナは１ｃｈ〜１２ｃｈ、すなわち、３０ＭＨｚ超〜３００ＭＨｚまでの周波数帯域をカバーし、大都市圏のテレビ局のキー局や準キー局の多くはＶＨＦ帯の周波数を使用しているため、従来から各家庭・各事業所に設置されているＴＶ放送波受信用アンテナもＶＨＦアンテナが殆どである。
一方、ＵＨＦアンテナは１３ｃｈ〜６２ｃｈ、すなわち、３００ＭＨｚ超〜３０００ＭＨｚまでの高周波数帯域をカバーするが、上記事情からＵＨＦアンテナはそれほど普及していない。
【０００３】
一方、２００３年１２月から地上デジタル放送が開始されている。これは、ＴＶ放送開始以来、全国に普及してきたアナログ波放送をデジタル化することによってこれまで使用していたアナログ電波を新たな用途に有効利用する取り組みによるものである。そして、２０１１年７月にはアナログ波放送が終了する。
地上デジタル波放送を受信してＴＶ視聴するには、ＵＨＦアンテナとデジタル受信機（デジタルチューナーとデジタルテレビ）が必要である。従って、ＶＨＦアンテナしか設置していない各家庭・各事業所では地上デジタル放送を受信するために、ＵＨＦアンテナを取り付ける必要がある。
【０００４】
そのため、ＵＨＦアンテナを各家庭・各事業所に取り付ける取り組みが進められている。例えば、非特許文献１に開示されているように、屋外（ベランダ）設置型のＵＨＦアンテナや、各家庭の屋内設置型のＵＨＦアンテナが知られている。また、特許文献１に開示されているように、ＵＨＦ帯の地上デジタル放送を受信するＵＨＦアンテナ装置をパラボラアンテナ上端部に取り付けた例が知られている。
【先行技術文献】
【非特許文献】
【０００５】
【非特許文献１】http://www.soumu.go.jp/main_sosiki/joho_tsusin/dtv/flash/jyushin/2_4.html
【特許文献】
【０００６】
【特許文献１】特開２００６−８０８８３
【発明の概要】
【発明が解決しようとする課題】
【０００７】
しかしながら、非特許文献１に開示の屋外（ベランダ）設置型のＵＨＦアンテナや、各家庭の屋内設置型のＵＨＦアンテナでは、ＵＨＦアンテナ専用の設置スペースを要するという問題がある。また、取付け・設置工事が稍々大がかりになる。
特許文献１に開示のＵＨＦアンテナ装置の場合には、ＵＨＦアンテナ自体が比較的嵩張るという問題がある。また、衛星放送と地上デジタル放送との混合器をどこに設定するかについては言及されていない。従って、特許文献１に記載のＵＨＦアンテナを用いた場合には、配線如何によっては省スペースとはならない又は配線がすっきりしないという問題がある。
【０００８】
本発明は、上記事情に鑑みてなされたものであり、配線簡略化及び省スペース化を実現することができるロッドアンテナ取付具及び混合器付きロッドアンテナ取付具並びにロッドアンテナ装置を提供することを目的とする。
【課題を解決するための手段】
【０００９】
上記課題を解決するために、本発明に係るロッドアンテナ取付具は、
上底部と当該上底部一片側から垂下する爪部とからなる一対のＬ型片と、
当該上底部他片側から前記一対のＬ型片の爪部と略平行に対向して垂下した垂下面取付孔が形成された垂下面と、
当該垂下面から続く当該一対のＬ型片の爪部下端部より低い位置から当該上底部に向かって傾斜した傾斜面取付孔が形成された傾斜面と、
前記傾斜面取付孔から当該上底部に向かって抜脱不能に挿通される抜脱防止螺子であって、被取付けアンテナの周縁端部に係合する抜脱防止螺子及び／又は当該被取付けアンテナの周縁端部を前記上底部との間で挟持する抜脱防止螺子と、を備えたことを要旨とする。
【００１０】
この場合に、前記被取付けアンテナはパラボラアンテナであり、
前記一対のＬ型片は互いに対向方向へ傾斜していることが望ましい。
【００１１】
上記課題を解決するために、本発明に係る混合器付きロッドアンテナ取付具は、
本発明に係るロッドアンテナ取付具と、
当該ロッドアンテナに接続される第一端子と、前記被取付けアンテナに接続される第二端子と、前記第一端子及び前記第二端子を介して受信した電波を混合する混合部と、前記混合部に接続され混合された電波を出力する出力端子と、少なくとも当該混合部を収容する筐体に形成されるフランジ部取付孔を備えたフランジ部とを備えた電波混合手段と、を備えたことを要旨とする。
【００１２】
上記課題を解決するために、本発明に係るロッドアンテナ装置は、本発明に係る混合器付きロッドアンテナ取付具にロッドアンテナが取り付けられたことを要旨とする。
【発明の効果】
【００１３】
上記構成を備えた本発明に係るロッドアンテナ取付具によれば、
（１）垂下面取付孔のところに地上デジタル放送波と衛星放送波とを混合する電波混合器を取付け、
（２）一対のＬ型片が被取付けアンテナの表側に係合するように、また、傾斜面の先端が被取付けアンテナの裏側に当接するように調整しながら、
（３−１）傾斜面取付孔を介して抜脱防止螺子をその先端が当該被取付けアンテナの周縁端部に係合するように螺合する、及び／又は、
（３−２）傾斜面取付孔を介して抜脱防止螺子をその先端が前記上底部と当該被取付けアンテナの周縁端部を挟持するように螺合することにより、電波混合器が取り付けられたロッドアンテナ取付具が被取付けアンテナに取り付けられる。電波混合器が取り付けられるため配線簡略化が可能となり、また、被取付けアンテナに電波混合器が取り付けられたロッドアンテナ取付具が取り付けられるため、省スペース化が可能となるという効果がある。また、ロッドアンテナは第一端子に接続するだけでよい。
【００１４】
上記構成を備えた本発明に係る混合器付きロッドアンテナ取付具によれば、
（１）一対のＬ型片が被取付けアンテナの表側に係合するように、また、傾斜面の先端が被取付けアンテナの裏側に当接するように調整しながら、
（２−１）傾斜面取付孔を介して抜脱防止螺子をその先端が当該被取付けアンテナの周縁端部に係合するように螺合する、及び／又は、
（２−２）傾斜面取付孔を介して抜脱防止螺子をその先端が前記上底部と当該被取付けアンテナの周縁端部を挟持するように螺合することにより、混合器付きロッドアンテナ取付具が被取付けアンテナに取り付けられる。混合器付きであるため、配線簡略化が可能となり、また、被取付けアンテナに混合器付きロッドアンテナ取付具が取り付けられるため、省スペース化が可能となるという効果がある。また、ロッドアンテナは第一端子に接続するだけでよい。
【００１５】
上記いずれの構成においても、一対のＬ型片が互いに対向方向へ傾斜している場合には、一対のＬ型片の装着状態がパラボラアンテナの周縁形状に合い、取り付けたロッドアンテナ装置のガタツキや抜け落ちがなくなるという効果がある。
上記構成を備えた本発明に係るロッドアンテナ装置は、本発明に係るロッドアンテナ取付具、混合器付きロッドアンテナ取付具と同様の構成を備えるため、これらの発明と同様の効果が得られる。
【図面の簡単な説明】
【００１６】
【図１】本発明の一実施の形態に係るロッドアンテナ装置１０をパラボラアンテナＡに取り付けた状態を示した図である。
【図２】本発明の一実施の形態に係るロッドアンテナ装置１０をパラボラアンテナＡに取り付けた状態を示した図である。
【図３】電波混合器２０の回路図である。
【図４】電波混合器２０の外観図である。
【図５】ロッドアンテナ取付具３０の外観斜視図である。
【図６】ロッドアンテナ取付具３０の外観図である。
【符号の説明】
【００１７】
Ａ  パラボラアンテナ
Ｂ  周縁端部
１０  ロッドアンテナ装置
１１  ロッドアンテナ
１２  アンテナロッド
１３  絶縁体
１４  Ｆ型接栓部
２０  電波混合器（電波混合手段）
２１  ＵＨＦ端子（第一端子）
２２  ＢＳ／ＣＳ端子（第二端子）
２３  混合部
２３ａ  チョークコイル
２３ｂ  高周波コイル
２３ｃ，２３ｄ  コンデンサ
２４  出力端子
２５  筐体本体
２６，２７  フランジ部
２６ａ，２７ａ  フランジ部取付孔
２８  アース端子
３０  ロッドアンテナ取付具
３１  Ｌ型片
３１ａ  上底部
３１ｂ  爪部
３２  垂下面
３２ａ  垂下面取付孔
３３  傾斜面
３３ａ  傾斜面取付孔
３４  抜脱防止螺子
３５  混合器取付螺子
【発明を実施するための形態】
【００１８】
（構成概要）
図１及び図２はロッドアンテナ装置１０をパラボラアンテナＡに取り付けた状態を示した図である（だたし、図１では混合器取付螺子３５（ステンレス製）は省略している）。これらの図に示したようにロッドアンテナ装置１０は、ロッドアンテナ１１と、電波混合器２０と、ロッドアンテナ取付具３０からなる。ロッドアンテナ装置１０は、電波混合器２０にロッドアンテナ取付具３０を取り付けた状態で、周縁端部Ｂを一対のＬ型片３１，３１と垂下面３２とで挟持させ、傾斜面取付孔３３ａ，３３ａから抜脱防止螺子３４，３４を挿入して螺合し、抜脱防止螺子３４，３４の端部を周縁端部Ｂに係合及び／又は当接させて押さえ込めばパラボラアンテナＡに取付ができる。従って、取り付け工事も短時間で効率的に実施することができる。
【００１９】
（ロッドアンテナ１１）
図１及び図２に示すように、ロッドアンテナ１１は、アンテナロッド１２と、絶縁体１３と、プラグ１４（Ｆ型接栓部）とから構成される棒状のステンレス製のアンテナである。ロッドアンテナ１１は、ＵＨＦ帯域（１３ｃｈ〜６２ｃｈ、すなわち、３００ＭＨｚ超〜３０００ＭＨｚまでの高周波数帯域）をカバーし、地上デジタル放送を受信するためのアンテナである。一方、パラボラアンテナＡは、衛星放送（ＣＳ放送、ＢＳ放送）を受信するためのアンテナである。
【００２０】
従って、ロッドアンテナ装置１０をパラボラアンテナＡに取り付けることにより、地上デジタル放送と衛星放送とを地上デジタル放送用のアンテナスペースを別途設けることなく、また、配線をシンプルにした状態で受信することができる。尚、Ｆ型接栓部１４の形状が同一である限り、ロッドアンテナ１１に代えて他のＵＨＦアンテナを用いてもよい。
【００２１】
（電波混合器２０）
図３は電波混合器２０の回路図、図４は電波混合器２０の外観図（(ａ)正面図、（ｂ）上面図、（ｃ）底面図、（ｄ）右側面図、（ｅ）左側面図である。尚、図４における方向は、パラボラアンテナＡに取り付けたときに、パラボラアンテナＡの裏面側からみたものを正面といい、ロッドアンテナ１１の先端側からみたものを上面としている。これらの図に示す電波混合器２０は、アルミダイキャスト製であり、ロッドアンテナ１１に接続される地上デジタル波を入力するＵＨＦ端子２１（Ｆ型接栓部：レセプタクル）と、パラボラアンテナＡに接続される衛星放送波を入力するＢＳ／ＣＳ端子２２と、当該ＵＨＦ端子２１及びＢＳ／ＣＳ端子２２を介して受信した電波を混合する混合部２３と、混合部２３に接続され、地上デジタル波（ロッドアンテナ１１で受信）と衛星放送用電波（パラボラアンテナＡで受信）とを混合した電波を出力する出力端子２４とを備える。
【００２２】
混合部２３は、チョークコイル２３ａと高周波コイル２３ｂとから構成され、チョークコイル２３ａは一端がＢＳ／ＣＳ端子２２に他端が出力端子２４に接続される。混合部２３は、パラボラアンテナのコンバータ部にチューナー又はテレビセットを経由して直流電源を供給する。コイルのインピーダンスωＬは２πｆＬなので周波数が高くなるにつれ高くなる。直流は、ｆ＝０であるため抵抗無く通過する。一方、ＢＳ／ＣＳ信号は、高抵抗となって通過できなくなるためコンデンサ２３ｃ，２３ｄを経由して高周波コイル２３ｂに入っていく。
【００２３】
高周波コイル２３ｂは、（１）ＢＳ／ＣＳ端子２２にコンデンサ２３ｃを介して接続されたコイルを磁芯上部に巻回し、（２）ＵＨＦ端子２１に接続されたコイルを磁芯下部に巻回し、（３）出力端子２４にコンデンサ２３ｄを介して接続されたコイルを磁芯中央部に巻回したものからなる。高周波コイル２３ｂは、ＵＨＦ信号をトランスの働きで出力端子２４側に出力し、同時にＢＳ／ＣＳ信号も同様に出力端子２４側に出力する。
以上により、出力端子２４側でＵＨＦ信号とＢＳ／ＣＳ信号とが混合され、混合信号として出力端子２４から出力される。
ＵＨＦ端子２１に接続されたコイルの他端、及び、出力端子２４にコンデンサ２３ｄを介して接続されたコイルの他端は、いずれもアース接続される。
【００２４】
図１及び図４に示すように、電波混合器２０は略直方体形状の筐体本体２５を備え、筐体本体２５に混合部２３が収容され、筐体本体２５の一端面にＵＨＦ端子２１が設けられるとともにその他端面にＢＳ／ＣＳ端子２２及び出力端子２４が設けられる。更に、筐体本体２５の両側端面の角部にはフランジ部取付孔２６ａ，２７ａを備えたフランジ部２６，２７が形成される。フランジ部２６，２７は上面視で略台形形状をしており、それぞれ、略円柱状のフランジ部取付孔２６ａ、角部Ｒ型四角柱状のフランジ部取付孔２７ａが形成されている。フランジ部取付孔２６ａ，２７ａと垂下面取付孔３２ａ，３２ａとを重ねた状態で、混合器取付螺子３５，３５は孔２６ａ→孔３２ａ，孔２７ａ→孔３２ａという貫通位置及び方向で挿通螺合される。これにより、電波混合器２０がロッドアンテナ取付具３０に取付けられる。フランジ部取付孔２７ａが角部Ｒ型四角柱状である理由は上記挿通螺合のための微調整を可能とするためである。尚、符号２８はアース端子を示す。
【００２５】
電波混合器２０のＵＨＦ端子２１にはロッドアンテナ１１が取り付けられ、上記のように電波混合器２０はロッドアンテナ取付具３０に取り付けられ、これがパラボラアンテナＡに取り付けられるため、ロッドアンテナ１１の設置スペースは特別に設ける必要がない。また、電波混合器２０も併せてパラボラアンテナＡに取付けた状態となるため、電波混合器２０の設置スペースも特別に設ける必要がない。更に、電波混合器２０のところで地上デジタル波の受信配線と衛星放送波の受信配線とが纏められ一本の出力配線として屋内へ配線されるため、余計な配線が出ることもなく配線簡略化がなされる。
【００２６】
（ロッドアンテナ取付具３０）
図５はパラボラアンテナＡの周縁端部Ｂに取り付けられるロッドアンテナ取付具３０の外観斜視図であり、図６はその外観図（(ａ)正面図、（ｂ）上面図、（ｃ）底面図、（ｄ）右側面図、（ｅ）左側面図）である。尚、図６における方向は、パラボラアンテナＡに取り付けたときに、パラボラアンテナＡの裏面側からみたものを正面といい、ロッドアンテナ１１の先端側からみたものを上面としている。
【００２７】
これらの図に示すようにロッドアンテナ取付具３０は、ステンレスその他の金属製であり、防錆皮膜が施されていてもよい。ロッドアンテナ取付具３０は、例えば、ステンレス又は金属に溶融亜鉛メッキを施したものが好適である。
（１）上底部３１ａ，３１ａと当該上底部３１ａ，３１ａの一片側から垂下する爪部３１ｂ，３１ｂとからなる一対のＬ型片３１，３１と、（２）上底部３１ａ，３１ａの他片側から一対のＬ型片３１，３１の爪部３１ｂ，３１ｂと略平行に対向して垂下した垂下面取付孔３２ａ，３２ａが形成された垂下面３２と、（３）垂下面３２から続く一対のＬ型片３１，３１の爪部下端部より低い位置から上底部３１ａ，３１ａに向かって傾斜した傾斜面取付孔３３ａ，３３ａが形成された傾斜面３３と、（４）傾斜面取付孔３３ａ，３３ａから上底部３１ａ，３１ａに向かって抜脱不能に挿通される抜脱防止螺子３４，３４であって、パラボラアンテナＡの周縁端部Ｂに係合し、パラボラアンテナＡの周縁端部Ｂを上底部３１ａ，３１ａとの間で挟持する抜脱防止螺子３４，３４とを備える。
【００２８】
一対のＬ型片３１，３１は、それぞれ、上底部３１ａ，３１ａと当該上底部３１ａ，３１ａの一片側から垂下する爪部３１ｂ，３１ｂとからなる。上底部３１ａ，３１ａは、図１及び図２に示すようにロッドアンテナ取付具３０をパラボラアンテナＡに装着すると上側に位置する部分である。爪部３１ｂ，３１ｂはパラボラアンテナＡの表側に係合し、これによりロッドアンテナ取付具３０が周縁端部Ｂに係止される。
【００２９】
一対のＬ型片３１，３１はパラボラアンテナＡが円形状であるためその形状・サイズに合わせて互いに対向方向へ傾斜させる。本実施形態においては図６の角度α（αは９０°以上１８０°未満、本実施形態においてはα＝９６°）に示す角度が施される。この構成によれば、一対のＬ型片３１，３１はパラボラアンテナＡの周縁形状に合い、取り付けたロッドアンテナ取付具３０のガタツキや抜け落ちがなくなるという効果がある。取り付ける対象がパラボラアンテナＡ以外のアンテナその他の建造設備（塀やベランダ、柱、壁、フェンス、屋根等）である場合には、その形状に応じて、例えば、９０°としてもよい。
【００３０】
垂下面３２は、図１及び図２に示すように電波混合器２０が取り付けられる部分であり、フランジ部２６，２７に密着させる部分である。垂下面３２は当該上底部３１ａ，３１ａの他片側から一対のＬ型片３１，３１の爪部３１ｂ，３１ｂと略平行に対向して垂下し、垂下面取付孔３２ａ，３２ａが形成される。垂下面取付孔３２ａ，３２ａは、フランジ部取付孔２６ａ，２７ａと重ね合わせた状態で混合器取付螺子３５，３５により螺合される。これにより、電波混合器２０が垂下面３２に取り付けられる。すなわち、垂下面取付孔３２ａ，３２ａ及びフランジ部取付孔２６ａ，２７ａを介して電波混合器２０がロッドアンテナ取付具３０に取り付けられる。
【００３１】
傾斜面３３は、垂下面３２から続く一対のＬ型片３１，３１の爪部下端部より低い位置から上底部３１ａ，３１ａに向かって傾斜した斜面であり（垂下面３２に対して傾斜面３３は図６の角度β（βは０°超１８０°未満、本実施形態においてはβ＝１０５°）、傾斜面取付孔３３ａ，３３ａが形成されている。抜脱防止螺子３４，３４は、傾斜面取付孔３３ａ，３３ａから上底部３１ａ，３１ａに向かって抜脱不能に螺合されながら挿通され、パラボラアンテナＡの周縁端部Ｂに係合し、パラボラアンテナＡの周縁端部Ｂを上底部３１ａ，３１ａとの間で挟持する。従って、傾斜面３３の傾斜は抜脱防止螺子３４，３４がその周縁端部Ｂに係合し、その周縁端部Ｂを上底部３１ａ，３１ａとの間で挟持する角度に調整される。尚、抜脱防止螺子３４はステンレス製である。
【００３２】
（ロッドアンテナ装置１０の取付方法）
以上説明した構成を備えたロッドアンテナ装置１０のパラボラアンテナＡへの取付方法は次の通りである。
（１）垂下面取付孔３２ａ，３２ａとフランジ部取付孔２６ａ，２７ａとを重ね合わせてフランジ部取付孔２６ａ，２７ａ側から混合器取付螺子３５，３５を挿入して螺合する。これにより、電波混合器２０がロッドアンテナ取付具３０に密着固定され取り付けられる。密着固定具合の微調整は角部Ｒ型四角柱状のフランジ部取付孔２７ａのどの部分にどの角度で混合器取付螺子３５を螺合で行う。
【００３３】
（２）一対のＬ型片３１，３１がパラボラアンテナＡの表側に係合するように、また、傾斜面３３の先端がパラボラアンテナＡの裏側に当接するように調整（手作業で抑える等）する。
【００３４】
（３−１）上記（２）の状態で、傾斜面取付孔３３ａ，３３ａを介して抜脱防止螺子３４，３４をその先端がパラボラアンテナＡの周縁端部Ｂに係合するように螺合する、且つ／又は、
（３−２）傾斜面取付孔３３ａ，３３ａを介して抜脱防止螺子３４，３４をその先端が上底部３１ａ，３１ａとパラボラアンテナＡの周縁端部Ｂを挟持するように螺合する。これにより、電波混合器２０が取り付けられたロッドアンテナ取付具３０がパラボラアンテナＡに取り付けられる。
【００３５】
（４）最後にロッドアンテナ１１をＵＨＦ端子２１に接続する。これにより、ロッドアンテナ装置１０のパラボラアンテナＡへの取付作業が完了する。電波混合器２０が取り付けられるため配線簡略化が可能となり、また、パラボラアンテナＡには、電波混合器２０及びロッドアンテナ１１が取り付けられたロッドアンテナ取付具３０が取り付けられるため、省スペース化が可能である。作業自体も簡単であるため短時間で実施することができる。ロッドアンテナ装置１０は小型装置であるため、作業が簡単であるためコストを抑えることもできる。
【００３６】
以上本発明の一実施形態について説明したが、本発明は上記実施形態に限定されるものではなく、種々の改変が可能である。本発明に係るロッドアンテナ取付具３０はパラボラアンテナＡ以外のアンテナその他の建造設備（塀やベランダ、柱、壁、フェンス、屋根等）に取り付けてもよい。
【産業上の利用可能性】
【００３７】
本発明に係るロッドアンテナ取付具及び混合器付きロッドアンテナ取付具並びにロッドアンテナ装置は、パラボラアンテナに取り付けることができるためＵＨＦアンテナ用の特別の設置スペースを必要とせず電波混合器によりすっきりとした配線が実現され、更に、小型設備・簡単な取付作業との観点からコスト削減も実現される。従って、地上デジタル放送の普及を促し、産業上有益である。
【図１】
2012065215.tif 000003
【図２】
2012065215.tif 000004
【図３】
2012065215.tif 000005
【図４】
2012065215.tif 000006
【図５】
2012065215.tif 000007
【図６】
2012065215.tif 000008